(57)【要約】【課題】、既設のトランク付き乗りかごを大幅に改修することなく、トランク扉を速やかに開閉させることを可能にしたトランク付きエレベーター用乗りかごの提供。【解決手段】上記課題は、乗りかごの出入口と対向する内側面側にトランクを設け、このトランクの出入口に観音開き式の一対の扉体３Ａ、３Ｂからなるトランク扉３を設けてなるトランク付きエレベーター用乗りかごにおいて、一方の扉体３Ａにシリンダー錠４を取り付けるとともに、他方の扉体３Ｂにソレノイド式電子錠８を取り付け、しかも、シリンダー錠４の施錠板６を解錠位置から施錠位置に回動させてソレノイド式電子錠８のロッド１０に係止させることで、トランク扉３を施錠状態にするとともに、その施錠状態におけるロッド１０を作動させてロッド１０と施錠板６との係止を解除させることで、トランク扉３を解錠状態にする構成とすることにより、達成できる。【選択図】図１
2006117408.tif 000002
【特許請求の範囲】
【請求項１】
乗りかごの出入口と対向する内側面側にトランクを設け、このトランクの出入口に観音開き式の一対の扉体からなるトランク扉を設けてなるトランク付きエレベーター用乗りかごにおいて、前記トランク扉の一方の扉体にシリンダー錠を取り付けるとともに、前記トランク扉の他方の扉体にソレノイド式電子錠を取り付け、しかも、前記シリンダー錠の施錠板を解錠位置から施錠位置に回動させて前記ソレノイド式電子錠のロッドに係止させることで、トランク扉を施錠状態にするとともに、その施錠状態における前記ロッドを作動させて、前記ロッドと前記施錠板との係止を解除させることで、前記トランク扉を解錠状態にする構成にした特徴とするトランク付きエレベーター用乗りかご。
【請求項２】
前記ソレノイド式電子錠は、本体ケースと、この本体ケースから出入するロッドと、このロッドを吸引移動させるための吸引力を発生させる電磁石と、この電磁石による吸引力が消勢するとロッドを元の位置に移動させるばね部材とを備え、しかも、解錠信号が入力されると、前記電磁石による吸引力を発生させ、その吸引力により前記ロッドを吸引移動させるとともに、施錠信号が前記電磁石に入力されると、前記電磁石による吸引力が消えて前記ロッドが前記ばね部材によるばね力に押されて元の位置に戻るようにしたことを特徴とする請求項１記載のトランク付きエレベーター用乗りかご。
【請求項３】
施錠信号が前記ソレノイド式電子錠に入力されて前記ロッドが上昇した状態で、かつ、前記シリンダー錠の施錠板が施錠位置にある状態のときに、前記一方の扉体が閉じられても、前記施錠板が前記ロッドを乗り越えそのロッドの後方に移動して前記トランク扉を施錠状態にさせる傾斜面を、前記ソレノイド式電子錠のロッドの先端部分に形成してなることを特徴とする請求項２記載のトランク付きエレベーター用乗りかご。
【発明の詳細な説明】
【技術分野】
【０００１】
本発明は、トランク付きエレベーター用乗りかごに関するものである。
【背景技術】
【０００２】
従来のトランク付きエレベーター用乗りかごでは、乗りかご用出入口と対向する内壁側にトランクを設け、そのトランクの出入口面に、左右対称の２枚の扉体により観音開き状に構成したトランク扉を配置するとともに、その２枚の扉体を通常時は閉じられて施錠装置により施錠されて開かないようにしている。そのために、従来のトランク付きエレベーター用乗りかごにおいて、トランク扉を開かせたい場合は、トランク扉の施錠装置を解錠するための専用鍵を保管している管理人に、解錠操作を逐次依頼する必要があり、面倒であって手間が掛かるものであった。また、管理人が不在の場合には、速やかにトランク扉を開けることができなかった。
【０００３】
そこで、トランク扉を開けるための手間や操作の煩わしさを排除して速やかにトランク扉を開けることができるようにしたトランク付きエレベーター用乗りかごとして、乗りかごの出入口と対向する内側面に設けられたトランクのトランク扉を、昇降自在に設けるとともに、乗りかご内若しくは監視センターに設けられた押釦の操作に基づきトランク扉を開けるための開制御信号を出力する制御装置及びこの制御装置の開制御信号に基づきトランク扉を開く方向に移動させる扉開閉装置などを設けるようにしたものが開発されている（例えば、特許文献１参照）。
【特許文献１】特開平１０−１６７６３３号公報（３頁左段５行〜４頁右段２３行、図３）
【発明の開示】
【発明が解決しようとする課題】
【０００４】
しかしながら、上記特開平１０−１６７６３３号公報に示すように、トランク扉を昇降自在に設けるようにしたトランク付きエレベーター用乗りかごでは、トランク扉を昇降させるための駆動源となるモーター、そのモーターを制御するための制御装置、トランク扉の移動をガイドするためのガイドレールなどを新たに設置する必要があり、大幅な改修作業となり、改修工期が長く、かつ、改修コストが高くなるという問題があった。
【０００５】
本発明の目的は、上述した従来技術における問題にかんがみ、既設のトランク付き乗りかごを大幅に改修することなく、管理人が不在の場合であっても、トランク扉を速やかに開閉させることを可能にしたトランク付きエレベーター用乗りかごを提供することにある。
【課題を解決するための手段】
【０００６】
上記目的を達成するために、本発明は、乗りかごの出入口と対向する内側面側にトランクを設け、このトランクの出入口に観音開き式の一対の扉体からなるトランク扉を設けてなるトランク付きエレベーター用乗りかごにおいて、前記トランク扉の一方の扉体にシリンダー錠を取り付けるとともに、前記トランク扉の他方の扉体にソレノイド式電子錠を取り付け、しかも、前記シリンダー錠の施錠板を解錠位置から施錠位置に回動させて前記ソレノイド式電子錠のロッドに係止させることで、トランク扉を施錠状態にするとともに、その施錠状態における前記ロッドを作動させて、前記ロッドと前記施錠板との係止を解除させることで、前記トランク扉を解錠状態にする構成にしたことを特徴としている。
【０００７】
さらに、前記ソレノイド式電子錠は、本体ケースと、この本体ケースから出入するロッドと、このロッドを吸引移動させるための吸引力を発生させる電磁石と、この電磁石による吸引力が消勢するとロッドを元の位置に移動させるばね部材とを備え、しかも、解錠信号が入力されると、前記電磁石による吸引力を発生させ、その吸引力により前記ロッドを吸引移動させるとともに、施錠信号が前記電磁石に入力されると、前記電磁石による吸引力が消えて前記ロッドが前記ばね部材によるばね力に押されて元の位置に戻るようにしたことを特徴としている。
【０００８】
さらに、施錠信号が前記ソレノイド式電子錠に入力されて前記ロッドが上昇した状態で、かつ、前記シリンダー錠の施錠板が施錠位置にある状態のときに、前記一方の扉体が閉じられても、前記施錠板が前記ロッドを乗り越えそのロッドの後方に移動して前記トランク扉を施錠状態にさせる傾斜面を、前記ソレノイド式電子錠のロッドの先端部分に形成してなることを特徴としている。
【発明の効果】
【０００９】
本発明によれば、トランク扉の他方の扉体にソレノイド式電子錠を設けて、そのソレノイド式電子錠のロッドとトランク扉の一方の扉体に設けたシリンダー錠の施錠板とを、係止させたりその係止を解除させたりすることで、トランク扉を施錠状態にしたり、あるいはトランク扉を解錠状態にしたりすることを可能にし、しかも、シリンダー錠の専用鍵がなくとも、ソレノイド式電子錠のロッドを作動させることで、簡単にトランク扉を解錠状態にすることのできるトランク付きエレベーター用乗りかごがえられる。また、管理人が保管するところのシリンダー錠の専用鍵がなくとも、ソレノイド式電子錠に解錠信号を入力させてソレノイド式電子錠のロッドを移動させることで、難なくトランク扉を解錠状態にすることのできる使い勝手のよいトランク付きエレベーター用乗りかごがえられる。
【発明を実施するための最良の形態】
【００１０】
以下、本発明に係わるトランク付きエレベーター用乗りかごの実施形態例を、図１から図８に基づいて説明する。
【００１１】
図１〜図３において、本発明の第１実施形態のトランク付きエレベーターに用いられる乗りかご１には、その乗りかご１の出入口と対向する内側面にトランク２が設けられている。トランク２の出入口には、トランク扉３が設けられている。トランク扉３は、左右一対の扉体３Ａ、３Ｂからなっており、その一対の扉体３Ａ、３Ｂを、ヒンジ９、９Ａによって乗りかご１の内側面に開閉自在に設けることで、観音開き（両開き）式にしてある。
【００１２】
トランク扉３の一方の扉体３Ａには、その扉体３Ａの自由端側に近接してシリンダー錠４が設けられている。シリンダー錠４は、シリンダー錠４の鍵穴４Ａに専用鍵５を差し込み、その専用鍵５を回動させると、解錠位置Ｐ１から施錠位置Ｐ２（反時計方向）あるいは施錠位置Ｐ２から解錠位置Ｐ１（時計方向）に回動する施錠板６を、少なくとも有している。
【００１３】
トランク扉３の他方の扉体３Ｂには、その扉体３Ｂの自由端側に鋼材からなる取り付け部材７を用いてソレノイド式電子錠８が設けられている。ソレノイド式電子錠８は、本体ケース８Ａと、この本体ケース８Ａから出入する丸棒状のロッド１０と、このロッド１０を吸引移動させるための吸引力を発生させる電磁石（図示せず）と、この電磁石による吸引力が消勢するとロッド１０を元の位置に移動させるばね部材（図示せず）とを、少なくとも有している。電磁石及びばね部材は、本体ケース８Ａ内に収納されている。なお、ロッド１０を丸棒状としているが、角棒状であってもよい。  
ソレノイド式電子錠８は、そのソレノイド式電子錠８に信号発信装置（図示せず）から解錠信号（通電信号）がリード線１１を介して入力されると、電磁石による吸引力を発生させ、その吸引力によりロッド１０を吸引移動させるとともに、信号発信装置（図示せず）から施錠信号（非通電信号）がリード線１１を介して電磁石に入力させると、電磁石による吸引力が消えてロッド１０がばね部材によるばね力に押されて元の位置に戻るように構成されている。本実施形態例では、解錠信号（通電信号）がソレノイド式電子錠８に入力されると、ロッド１０が下降して本体ケース８Ａ内に入り、かつ、施錠信号（非通電信号）がソレノイド式電子錠８に入力されると、ロッド１０が上昇して本体ケース８Ａの上方に突出するようにしてある。なお、信号発信装置は、乗りかご１内に設けられる操作盤やエレベーターの監視センター若しくは保守会社に設置するようにしてもよい。また、信号発信装置は、リード線１１を使用しないで、保守員が携帯する無線操作装置に設置するようにしてもよい。
【００１４】
両扉体３Ａ、３Ｂを閉じた状態では、シリンダー錠４の施錠板６とソレノイド式電子錠８のロッド１０とを、図４に示すように、配置してある。すなわち、シリンダー錠４の施錠板６とソレノイド式電子錠８のロッド１０とは、シリンダー錠４の施錠板６が解錠位置Ｐ１にある状態（垂直方向に延びている状態）では、ロッド１０に施錠板６が係止することなく、かつ、シリンダー錠４の施錠板６が施錠位置Ｐ２にある状態（水平方向に延びている状態）では、ロッド１０に施錠板６がロッド１０の後方に位置して係止するように配置される。本実施形態例では、シリンダー錠４の鍵穴４Ａに専用鍵５を差し込み、その専用鍵５を反時計方向に回転させて、シリンダー錠４の施錠板６を、ロッド１０の後方に、かつ、水平に倒すことで、ロッド１０に施錠板６が係止して施錠状態となるとともに、シリンダー錠４の鍵穴４Ａに差し込んだ専用鍵５を時計方向に回転させて、シリンダー錠４の施錠板６を垂直に倒立させることで、ロッド１０から施錠板６が離れて解錠状態となるようにしてある。
【００１５】
取り付け部材７は、図３に示すように、扉体３Ｂの自由端側に固定するための平坦面部７Ａと、ソレノイド式電子錠８を取り付けためのコ字状部７Ｂとからなっており、コ字状部７Ｂを扉体３Ｂの自由端面の外方に突出させてある。コ字状部７Ｂには、図１及び図３に示すように、切り欠き７Ｃが形成されている。切り欠き７Ｃと施錠板６との位置関係は、シリンダー錠４の施錠板６が施錠位置Ｐ２にある状態（水平方向に延びている状態）で、かつ、解錠信号（通電信号）がソレノイド式電子錠８に入力されてロッド１０が下降状態であるときに、扉体３Ａを閉じると、施錠板６が切り欠き７Ｃに嵌合して、ロッド１０よりも後方に、施錠板６が位置する状態となるようにしてある。切り欠き７Ｃの大きさは、両扉体３Ａ、３Ｂを閉じた状態で、シリンダー錠４の施錠板６を、解錠位置Ｐ１から施錠位置Ｐ２あるいは施錠位置Ｐ２から解錠位置Ｐ１に回動させた際に、その回動が、取り付け部材７に引っ掛かることなく、自由に行われるように設定されている。
【００１６】
扉体３Ｂには、その扉体３Ｂの閉じた状態を維持するための止めねじ１２が設けられている。止めねじ１２は、図１に示すごとく、扉体３Ｂの自由端側の下部に、鋼材製の止めねじ用取り付け部材１３を用いて取り付けられている。扉体３Ｂの閉じた状態が維持させるには、止めねじ１２を下降させてその止めねじ１２の下端部分を乗りかご１の床面に設けた止め穴１４に挿入させる。扉体３Ｂを開く場合には、止めねじ１２を上昇させてその止めねじ１２の下端を乗りかご１の床面に設けた止め穴１４の上方に位置させる。本実施形態例では、ソレノイド式電子錠８を取り付ける取り付け部材７と止めねじ用取り付け部材１３とを別々に形成しているが、止めねじ用取り付け部材１３と取り付け部材７を一体的に形成するようにしてもよい。
【００１７】
上記構成において、トランク扉３を施錠状態にするには、他方の扉体３Ｂを閉じた後、止めねじ１２を下降させてその止めねじ１２の下端部分を乗りかご１の床面に設けた止め穴１４に挿入させる。次いで、解錠信号（通電信号）をソレノイド式電子錠８に入力してロッド１０を下降状態にするとともに、シリンダー錠４の鍵穴４Ａに専用鍵５を差し込んでその専用鍵５を反時計方向に回転させてシリンダー錠４の施錠板６を水平方向に延びている状態（施錠位置Ｐ２にある状態）にした後、一方の扉体３Ａを閉じる。最後に、施錠信号（非通電信号）をソレノイド式電子錠８に入力してロッド１０を上昇させると、ロッド１０に施錠板６が係止して、トランク扉３が施錠状態となる。
【００１８】
上記構成において、施錠状態になっているトランク扉３を解錠状態にするには、２通りの方法がある。第１番目の方法としては、解錠信号（通電信号）をソレノイド式電子錠８に入力するようにすればよい。解錠信号（通電信号）をソレノイド式電子錠８に入力すれば、ロッド１０が下降して、施錠板６がロッド１０に係止しなくなるので、一方の扉体３Ａを開く方向に引っ張ることにより、図１のように、一方の扉体３Ａを開かせることができる。一方の扉体３Ａが開いたならば、止めねじ１２を上昇させてその止めねじ１２の下端を乗りかご１の床面に設けた止め穴１４の上方に位置させた後、他方の扉体３Ｂを開く方向に引っ張ることにより、その他方の扉体３Ｂを開かせることができる。
【００１９】
施錠状態になっているトランク扉３を解錠状態にする第２番目の方法としては、
シリンダー錠４の鍵穴４Ａに差し込んだ専用鍵５を時計方向に回転させて、シリンダー錠４の施錠板６を垂直に倒立させることで、施錠板６がロッド１０に係止しなくなるので、一方の扉体３Ａを開く方向に引っ張ることにより、図１のように、一方の扉体３Ａを開かせることができる。上記第１番目の方法と同様に、一方の扉体３Ａが開いたならば、止めねじ１２を上昇させてその止めねじ１２の下端を乗りかご１の床面に設けた止め穴１４の上方に位置させた後、他方の扉体３Ｂを開く方向に引っ張ることにより、その他方の扉体３Ｂを開かせることができる。
【００２０】
以上のように、第１実施形態例によれば、エレベーターを設置した建物の管理人やエレベーター保守会社の保守員が保管している専用鍵５を使用しなくても、解錠信号（通電信号）をソレノイド式電子錠８に入力することで、トランク扉３を解錠状態にすることができる。その場合、信号発信装置を乗りかご１内に設けられる操作盤に設置するようにしてあれば、乗りかご１内に乗り込んだ保守員が信号発信装置を操作することで、専用鍵５を保管している管理人の手を煩わすことなく、トランク扉３を解錠状態にすることができる。また、信号発信装置をエレベーターの監視センター若しくは保守会社に設置するようにしてあれば、保守員が監視センター若しくは保守会社に、解錠信号（通電信号）に入力指示をすることで、専用鍵５を保管している管理人の手を煩わすことなく、トランク扉３を解錠状態にすることができる。また、建物の管理人やエレベーター保守会社の保守員が保管している専用鍵５を、万一、紛失した場合であっても、解錠信号（通電信号）をソレノイド式電子錠８に入力することで、トランク扉３を解錠状態にすることができる。
【００２１】
さらに、第１実施形態例によれば、シリンダー錠によりトランク扉の施錠を行うようにした既設乗りかごのトランクにあっては、改修作業や部品点数を大幅に増大させることなく、ソレノイド式電子錠８を取り付けることで、専用鍵５を使用せずにトランク扉を解錠状態にすることができるように、改修することができる。
【００２２】
図６は、本発明の第２実施形態を示す。図６において、図１〜図５と同一符号は、同一内容を表している。本発明の第２実施形態では、施錠信号（非通電信号）をソレノイド式電子錠２０に入力してロッド２１を上昇させた状態で、かつ、シリンダー錠４の施錠板６を水平方向に延びている状態（施錠位置Ｐ２にある状態）で、一方の扉体３Ａを閉じても、施錠板６がロッド２１を乗り越えて、そのロッド２１の後方に移動させられ、トランク扉３が施錠状態になるようにしている。そのために、ソレノイド式電子錠２０のロッド２１には、そのロッド２１の先端部分に傾斜面２１Ａを形成するようにしている。
【００２３】
施錠信号（非通電信号）をソレノイド式電子錠２０に入力してロッド２１を上昇させた状態で、かつ、シリンダー錠４の施錠板６を水平方向に延びている状態（施錠位置Ｐ２にある状態）で、一方の扉体３Ａを閉じると、施錠板６が点線Ｙ１のように傾斜面２１Ａに衝突する。施錠板６が傾斜面２１Ａに衝突した状態で、さらに、扉体３Ａを閉じる方向に押すと、施錠板６が点線Ｙ２の位置になり、かつ、ばね部材のばね力に逆らって、ロッド２１が点線Ｋ１の位置まで下降するので、施錠板６の下面の位置がロッド２１の先端よりも、一点鎖線Ｋ２のように上方の位置になるため、施錠板６がロッド２１の先端を乗り越える。施錠板６がロッド２１の先端を乗り越えると、ロッド２１がばね部材のばね力によって、上昇して元に位置にもどり、トランク扉３が施錠状態になる。
【００２４】
したがって、本発明の第２実施形態によれば、ソレノイド式電子錠２０のロッド２１を上昇させた状態であっても、トランク扉３を施錠状態にすることができ、使い勝手のよいトランク扉３とすることができる。
【００２５】
図７から図８は、第３実施形態を示す。図７から図８において、図１〜図５と同一符号は、同一内容を表している。本発明の第３実施形態では、第２実施形態と同様に、施錠信号（非通電信号）をソレノイド式電子錠３０に入力してロッド３１を上昇させた状態で、かつ、シリンダー錠４の施錠板６を水平方向に延びている状態（施錠位置Ｐ２にある状態）で、一方の扉体３Ａを閉じても、施錠板６がロッド３１を乗り越えて、そのロッド３１の後方に移動させられ、トランク扉３が施錠状態になるようにしている。そのために、第３実施形態では、図７から図８に示すソレノイド式電子錠３０のロッド３１には、そのロッド３１の先端部分に、２個の傾斜面３１Ａ、３１Ｂを形成するようにしている。
【００２６】
第３実施形態では、施錠信号（非通電信号）をソレノイド式電子錠３０に入力してロッド３１を上昇させた状態で、かつ、シリンダー錠４の施錠板６を水平方向に延びている状態（施錠位置Ｐ２にある状態）で、一方の扉体３Ａを閉じると、施錠板６が傾斜面３１Ａに衝突するようにしてある。２個の傾斜面３１Ａ、３１Ｂは、図８に示すように、一点鎖線Ｈ１で示す傾斜面３１Ａの下端の高さ位置を、一点鎖線Ｈ２で示す施錠板６の下端の高さ位置よりも低くし、かつ、一点鎖線Ｈ３で示す傾斜面３１Ｂの下端の高さ位置を、一点鎖線Ｈ２で示す施錠板６の下端の高さ位置よりも高くなるように形成されている。
【００２７】
本発明の第３実施形態では、施錠板６が傾斜面３１Ａに衝突した状態で、さらに、扉体３Ａを閉じる方向に押すと、ロッド３１がばね部材のばね力に逆らって下降するので、施錠板６の下端の位置がロッド３１の先端よりも上方の位置になるため、施錠板６がロッド３１の先端を乗り越える。施錠板６がロッド３１の先端を乗り越えると、傾斜面３１Ｂによって、施錠板６がロッド３１に引っ掛かることなく、ロッド３１がばね部材のばね力により、円滑に上昇して元に位置に戻って、トランク扉３が施錠状態になる。しかも、施錠信号（非通電信号）をソレノイド式電子錠８に入力してロッド３１を上昇させた状態で、かつ、シリンダー錠４の施錠板６を垂直に倒立させた状態で、一方の扉体３Ａを閉じた後、シリンダー錠４の鍵穴４Ａに専用鍵５を差し込んでその専用鍵５を反時計方向に回転させることにより、シリンダー錠４の施錠板６を水平方向に倒した際、その施錠板６がロッド３１の傾斜面３１Ｂに案内されて、施錠板６がロッド３１の後方に移動させられるので、ロッド３１に施錠板６が円滑に係止して、トランク扉３が施錠状態となる。
【００２８】
したがって、本発明の第３実施形態によれば、ソレノイド式電子錠３０のロッド３１を上昇させた状態で、かつ、シリンダー錠４の施錠板６を水平方向に倒した状態で、一方の扉体３Ａを閉じても、トランク扉３を施錠状態にすることができ、かつ、ロッド３１と施錠板６との係止が円滑に行われる使い勝手のよいトランク付きエレベーター用乗りかごがえられる。
【図面の簡単な説明】
【００２９】
【図１】本発明の第１実施形態を示すトランク付きエレベーター用乗りかごの要部斜視図である。
【図２】本発明の第１実施形態を示すトランク付きエレベーター用乗りかごの要部正面図である。
【図３】図２のＡ−Ａ視図である。
【図４】本発明の第１実施形態を示すトランク付きエレベーター用乗りかごにおけるソレノイド式電子錠のロッドとシリンダー錠の施錠板との位置関係を説明する図である。
【図５】図２のＢ−Ｂ視図である。
【図６】本発明の第２実施形態を示すトランク付きエレベーター用乗りかごの要部構成を示す図である。
【図７】本発明の第３実施形態を示すトランク付きエレベーター用乗りかごの要部構成を示す図である。
【図８】図７のＱ部拡大図である。
【符号の説明】
【００３０】
１    乗りかご
２    トランク
３    トランク扉
３Ａ  扉体
３Ｂ  扉体
４    シリンダー錠
５    専用鍵
６    施錠板
７    取り付け部材
７Ｃ  切り欠き
８    ソレノイド式電子錠
９、９Ａ    ヒンジ
１０  ロッド
１１  リード線
１２  止めねじ
１３  止めねじ用取り付け部材
１４  止め穴
２０  ソレノイド式電子錠（第２実施形態）
２１  ロッド（第２実施形態）
２１Ａ  傾斜面
３０  ソレノイド式電子錠（第３実施形態）
３１  ロッド（第３実施形態）
３１Ａ、３１Ｂ  傾斜面
【図１】
2006117408.tif 000003
【図２】
2006117408.tif 000004
【図３】
2006117408.tif 000005
【図４】
2006117408.tif 000006
【図５】
2006117408.tif 000007
【図６】
2006117408.tif 000008
【図７】
2006117408.tif 000009
【図８】
2006117408.tif 000010